(57)【要約】【課題】カメラ本体と、前記着脱自在のフードとの間で情報および電力または動力の伝達を行う接点を有し、フードの長さを調整可能な撮像装置の提供する。【解決手段】撮像装置正面には、カメラ本体１０と、光学ファインダ６と、フード取付け部８と、撮像レンズユニット５と、電力供給接点７と、フード長さ制御用接点９と、フード装着状態判定用接点１１と、測光素子１４とを有し、フード装着状態判定用接点１１は、フードの装着状態の判定を行う。電力供給接点７は、フードへの電力供給の為の接点である。フードにも対応する接点があり、フードをカメラに取付けた状態では，これら接点が互いに接触する。【選択図】図２
2009069509.tif 000002
【特許請求の範囲】
【請求項１】
着脱自在のフードと、カメラ本体とで構成される撮像装置であって、
前記カメラ本体と、前記着脱自在のフードとの間で情報および電力または動力の伝達を行う接点を有することを特徴とする撮像装置。
【請求項２】
前記接点は、
前記カメラ本体から前記フードに対して電力を供給するための電力供給接点と、
前記カメラ本体に対する前記フードの着脱状態を検知するためのフード装着状態判定用接点と、
前記フードの長さを前記カメラ本体が制御するためのフード長さ制御用接点とを含むことを特徴とする請求項１に記載の撮像装置。
【請求項３】
前記カメラ本体は、
被写体からの光を撮像素子上に結像するための焦点距離可変の撮影レンズを有し、
前記撮影レンズの焦点距離に応じて、前記フードの長さを可変とすることを特徴とする請求項２に記載の撮像装置。
【発明の詳細な説明】
【技術分野】
【０００１】
着脱可能なフードを有する撮像装置に関する。
【背景技術】
【０００２】
従来は一眼レフカメラの交換レンズように、先端部に着脱可能なフードが良く知られている。
【０００３】
しかしながら、コンパクトカメラの場合には、レンズの収納状態から使用状態、ズーミング等の駆動にカメラ内部のアクチュエータを用いるのが通常であり、レンズ先端に取付ける形式のフードではレンズ部の重量が増し、アクチュエータへの負荷が大きくなり過ぎてしまう。
【０００４】
このためコンパクトカメラの場合にはレンズ部の外側にレンズ鏡胴部分を囲うように着脱可能なフードが用いられることもある。
【０００５】
これに関連する技術を次に開示する。
【０００６】
特許文献１は、固体撮像素子上に被写体像を結像させてその被写体像を表す画像データを得るデータを得るカメラに関し、部品点数を減らすことができるフードを備えた技術が開示されている。
【０００７】
また近年、撮影レンズには焦点距離が可変である、いわゆるズームレンズが用いられることが通常であるが、ズームレンズでは、焦点距離が長くなるとレンズ全長が長くなるもの、もしくは最短焦点距離と最長焦点距離が略同じ長さで、中間焦点距離では全長が短くなるものの二タイプが殆どを占める。
【特許文献１】特開２００３−３３３４０５号公報
【発明の開示】
【発明が解決しようとする課題】
【０００８】
しかしながら、特に前者のタイプのズームレンズを用いた場合、レンズ全長とは全く独立にカメラ本体に直接取付けてあるフードでは、最短焦点距離状態に最適化した長さのフードを用いることしかできず、焦点距離が長い状態ではフードの効果は殆ど期待できないことになってしまう。
【０００９】
そこで本発明は、カメラ本体と、前記着脱自在のフードとの間で情報および電力または動力の伝達を行う接点を有する撮像装置の提供を目的とする。
【課題を解決するための手段】
【００１０】
上記の目的を達成するため、請求項１に記載の発明は、着脱自在のフードと、カメラ本体とで構成される撮像装置であって、前記カメラ本体と、前記着脱自在のフードとの間で情報および電力または動力の伝達を行う接点を有する撮像装置であることを特徴とする。
【００１１】
請求項２に記載の発明は、請求項１に記載の撮像装置において、前記接点は、前記カメラ本体から前記フードに対して電力を供給するための電力供給接点と、前記カメラ本体に対する前記フードの着脱状態を検知するためのフード装着状態判定用接点と、前記フードの長さを前記カメラ本体が制御するためのフード長さ制御用接点を含むことを特徴とする。
【００１２】
請求項３に記載の発明は、請求項２に記載の撮像装置において、前記カメラ本体は、被写体からの光を撮像素子上に結像するための焦点距離可変の撮影レンズを有し、前記撮影レンズの焦点距離に応じて、前記フードの長さを可変とすることを特徴とする。
【発明の効果】
【００１３】
カメラ本体と、前記着脱自在のフードとの間で情報および電力または動力の伝達を行う接点を有し、フードの長さを調整可能な撮像装置の提供を可能とする。
【発明を実施するための最良の形態】
【００１４】
本発明は、以下の好適な態様を有する。
【００１５】
本発明に係る撮像装置の好適な態様は、着脱自在のフードと、カメラ本体とで構成される撮像装置であって、前記カメラ本体と、前記着脱自在のフードとの間で情報および電力または動力の伝達を行う接点を有する。
上記構成によれば、簡単かつ安価な構成で、カメラ本体と、前記着脱自在のフードとの間で情報および電力または動力の伝達を行うことが可能である。
【００１６】
本発明に係る撮像装置の別の好適な態様は、上記構成において、前記接点は、前記カメラ本体から前記フードに対して電力を供給するための電力供給接点と、前記カメラ本体に対する前記フードの着脱状態を検知するためのフード装着状態判定用接点と、前記フードの長さを前記カメラ本体が制御するためのフード長さ制御用接点を含む。
上記構成によれば、フードの着脱状態を検知することが可能である。フードの長さをカメラ本体が制御することが可能である。
【００１７】
本発明に係る撮像装置の別の好適な態様は、上記構成において、前記カメラ本体は、被写体からの光を撮像素子上に結像するための焦点距離可変の撮影レンズを有し、前記撮影レンズの焦点距離に応じて、前記フードの長さを可変とすることを特徴とする。
上記構成によれば、カメラ本体に取付けするフードを焦点距離に最適化した長さのフードを用いることができる。
【００１８】
上述した態様を有する操作ユニットの好適な構成について図１および図２を用いて説明する。
図１は、本発明に係る撮像装置の斜視図を示す。
図２は、本発明に係る撮像装置の正面図を示す。
【００１９】
図１に示すように、ＬＣＤモニタ１と、レリーズボタン２と、メインスイッチ３と、ＬＣＤ表示部４と、撮影レンズユニット５と、光学ファインダ６とを有する。
【００２０】
撮像装置上面は、レリーズボタン２と、メインスイッチ３と、ＬＣＤ表示部４とを有する。
【００２１】
ＬＣＤモニタ１は、例えば、撮影前に被写体の状態を監視する、撮影した画像を確認する、メモリカードや内臓メモリに記録した画像データを表示する、などを行うためのモニタである。
【００２２】
レリーズボタン２は、例えば、シャッター時に押下するボタンである。
【００２３】
メインスイッチ３は、例えば、撮影／再生切り換えダイヤルを行う。
【００２４】
ＬＣＤ表示部４は、例えば、撮影可能枚数など表示するための表示部である。
【００２５】
撮影レンズユニット５は、例えば、被写体の光学画像を取り込むズームレンズ、ズーム駆動モータからなるズーム光学系、フォーカスレンズ、フォーカス駆動モータからなるフォーカス光学系、絞り、絞りモータからなる絞りユニット、メカシャッタ、メカシャッタモータからなるメカシャッタユニット、各モータを駆動するモータドライバを有する。
【００２６】
そして、モータドライバは、リモコン受光部入力や操作部キーの操作入力に基づく、後述するデジタルスチルカメラプロセッサ内にあるＣＰＵブロックからの駆動指令により駆動制御される。
【００２７】
図２に示すように、撮像装置正面には、カメラ本体１０と、光学ファインダ６と、フード取付け部８と、撮像レンズユニット５と、電力供給接点７と、フード長さ制御用接点９と、フード装着状態判定用接点１１と、測光素子１４とを有する。
【００２８】
電力供給接点７と、フード長さ制御用接点９と、フード装着状態判定用接点１１とは、フード取付け部８に設置されている。
【００２９】
フード装着状態判定用接点１１は、フードの装着状態の判定を行う。
【００３０】
電力供給接点７は、フードへの電力供給の為の接点である。
【００３１】
フードにも対応する接点があり、フードをカメラに取付けた状態では、これら接点が互いに接触する。
【００３２】
カメラ本体とフードとの取付けには、取付け方向が確実に一定となるよう、バヨネット式であることが望ましい。
【実施例】
【００３３】
上述した構成を有する撮像装置において、実施例として以下に図１、図２および図３を用いて説明する。
以下に示す用語は、その要旨を逸脱しない範囲内において当業者が修正や代用を行い、種々の変更を施し、構築することを可能とする。
【００３４】
上述したように、本発明に係る撮像装置は、カメラ本体１０の撮影レンズユニット５の周囲にフード取付け部８を有する。
【００３５】
また、撮像装置に取り外し可能なフードは、フード可変長部１２と、フード主部１３と、電力供給接点１７と、フード長さ制御用接点１９と、フード装着状態判定用接点２１とを有する。
【００３６】
カメラ本体１０にフードが取付けられると、図２に示す、カメラ本体１０のフード取付け部８が有するフード装着状態判定用接点１１と、図３に示す、フードが有するフード装着状態判定用接点２１とが接触し、判定回路がオンされる。
【００３７】
これによりカメラ本体１０にフードが装着されたことが検知される。
【００３８】
カメラ本体１０にフードが装着されたことが検知されると、ズーミングによる焦点距離（画角）の変化に応じて、フードの長さを変えるための電力が電力供給接点７を通して、カメラ本体１０からフードに供給される。
【００３９】
フードに供給された電力によりフード内のアクチュエータが駆動され、フード可変長部がフード主部に対して出入りすることにより、フード全長が変化する。
【００４０】
撮影レンズの焦点距離が短い（画角が広い）時には、フード全長も短く、焦点距離が長い（画角が狭い）時には、フード全長が長くなるように変化させることで、フードの効果を高めることができる。
【００４１】
また、カメラ本体１０の電源がオフの状態になったときは、撮影レンズユニット部５は電源オン状態よりも短い、収納状態となる。
【００４２】
本実施に係るフードも、カメラ電源がオフになったときには、フード可変長部１２がフード主部に最も入り込み、フード全長が最短となる。
【００４３】
このようにすると、フードを付けたままの状態でも、カメラ電源がオフ状態での携帯性が損なわれることを最小限に抑えることができる。
【００４４】
本実施例によれば、カメラ本体と、着脱自在のフードとの間で情報および電力または動力の伝達を行う接点を有し、簡潔かつ安価な構成で、カメラ本体と、前記着脱自在のフードとの間で情報および電力または動力の伝達を行うことが可能である。
【００４５】
また、カメラ本体からフードに対して電力を供給するための電力供給接点と、カメラ本体に対するフードの着脱状態を検知するためのフード装着状態判定用接点と、フードの長さをカメラ本体が制御するためのフード長さ制御用接点を有し、フードの着脱状態を検知することが可能である。また、フードの長さをカメラ本体が制御することが可能である。
【００４６】
さらに、カメラ本体は、被写体からの光を撮像素子上に結像するための焦点距離可変の撮影レンズを有し、撮影レンズの焦点距離に応じて、フードの長さを可変とし、カメラ本体に取付けするフードを焦点距離に最適化した長さのフードを用いることができる。
【００４７】
本実施例では、フード長さを変化させるためのアクチュエータは、フード側にもたせ、駆動電力は、接点を通してカメラ本体から供給するようにしたが、この方式以外にも物理的な動力伝達機構を介してフード長を変化させるための駆動力を供給する方式でも構わない。
【図面の簡単な説明】
【００４８】
【図１】本発明に係る撮像装置の構成を示す斜視図である。
【図２】本発明に係る撮像装置の構成を示す正面図である。
【図３】本発明に係るフードの構成を示す斜視図である。
【符号の説明】
【００４９】
１    ＬＣＤモニタ
２    レリーズボタン
３    メインスイッチ
４    ＬＣＤ表示部
５    撮像レンズユニット
６    光学ファインダ
７    電力供給接点
８    フード取付け部
９    フード長さ制御用接点
１０    カメラ本体
１１    フード装着状態判定用接点
１２    フード可変長部
１３    フード主部
１４    測光素子
１７    電力供給接点
１９    フード長さ制御用接点
２１    フード装着状態判定用接点
【図１】
2009069509.tif 000003
【図２】
2009069509.tif 000004
【図３】
2009069509.tif 000005